(57)【要約】【課題】還元成分による効果のばらつきを低減することのできるヘアケア装置を得る。【解決手段】ヘアケア装置は、少なくとも一対の電極２で液体を電気分解して還元成分を含んだ還元水を生成する還元水生成部３と、還元水生成部３に液体を供給する液体供給部４と、還元水生成部３に供給される液量を検知する検知部２１と、還元水生成部３により生成された還元水を霧化して還元水ミストを生成する霧化装置１と、霧化装置１により生成された還元水ミストに含まれる還元成分量が一定となるように、検知部２１により検知された液量に応じて液体供給部４と還元水生成部３のうちの少なくともいずれかを制御する制御部５とを備える。【選択図】図１
2013103060.tif 000002
【特許請求の範囲】
【請求項１】
少なくとも一対の電極で液体を電気分解して還元成分を含んだ還元水を生成する還元水生成部と、
前記還元水生成部に液体を供給する液体供給部と、
前記還元水生成部に供給される液量を検知する検知部と、
前記還元水生成部により生成された還元水を霧化して還元水ミストを生成するミスト生成部と、
前記ミスト生成部により生成された還元水ミストに含まれる還元成分量が一定となるように、前記検知部により検知された液量に応じて前記液体供給部と前記還元水生成部のうちの少なくともいずれかを制御する制御部と
を備えることを特徴とするヘアケア装置。
【請求項２】
前記制御部は、前記検知部により検知された液量が少ないほど、前記還元水生成部に供給される電力を増加させ、前記検知部により検知された液量が多いほど、前記還元水生成部に供給される電力を減少させることを特徴とする請求項１記載のヘアケア装置。
【請求項３】
前記制御部は、前記検知部により検知された液量が少ないほど、前記液体供給部の液体供給量を増加させ、前記検知部により検知された液量が多いほど、前記液体供給部の液体供給量を減少させることを特徴とする請求項１または２記載のヘアケア装置。
【請求項４】
前記液体供給部は、空気中に含まれる液体を冷却して結露させる冷却部を備え、前記制御部は、前記冷却部に供給される電力により前記液体供給部を制御することを特徴とする請求項１から３のいずれか一項に記載のヘアケア装置。
【請求項５】
前記制御部は、前記検知部により検知された液量が少ないほど、前記冷却部の駆動エネルギーを増加させ、前記検知部により検知された液量が多いほど、前記冷却部の駆動エネルギーを減少させることを特徴とする請求項４記載のヘアケア装置。
【請求項６】
前記制御部は、前記液体供給部が駆動されてから所定の間、前記冷却部に供給される電力を増加させることを特徴とする請求項４または５に記載のヘアケア装置。
【請求項７】
前記冷却部の冷却面上に前記一対の電極を配置し、その電極間の中心部に液体を保持する液体保持部を設けたことを特徴とする請求項４から６のいずれか一項に記載のヘアケア装置。
【請求項８】
前記制御部は、前記検知部により検知された液量が所定の値以下の場合は、前記電極間の中心部の冷却面が冷却されるように前記冷却部に電力を供給し、前記検知部により検知された液量が所定の値を超えた場合は、前記電極間の中心部の冷却面と中心部以外の冷却面とが等しく冷却されるように前記冷却部に電力を供給することを特徴とする請求項７記載のヘアケア装置。
【請求項９】
前記制御部は、前記検知部により検知された液量が所定の値以下の場合は、前記電極間の中心部の冷却面が冷却されるように前記冷却部に電力を供給し、前記検知部により検知された液量が所定の値を超えた場合は、前記電極間の中心部以外の冷却面が冷却されるように前記冷却部に電力を供給することを特徴とする請求項７記載のヘアケア装置。
【発明の詳細な説明】
【技術分野】
【０００１】
本発明は、頭髪や頭皮に還元成分を付与し、その還元力により抗酸化作用を得、活性酸素を除去し、健康な状態に保つためのヘアケア装置に関するものである。
【背景技術】
【０００２】
頭髪や頭皮をケアするために還元成分を含んだミストを付与する方法がある（例えば、特許文献１参照）。このヘアケア装置では、酸性成分が水中でイオン化して発生した陽イオンを還元して還元成分を得、その還元成分が溶解された還元水を生成する。そして、生成した還元水を霧化させて髪や頭皮に付与するようになっている。
【先行技術文献】
【特許文献】
【０００３】
【特許文献１】特開２０１０−８２２１３号公報
【発明の概要】
【発明が解決しようとする課題】
【０００４】
しかしながら、前記のような従来のヘアケア装置では、放出される還元成分量をフィードバックさせておらず、使用者に対して常に一定の効果を与えられない可能性があった。
【０００５】
本発明は、前記課題を解決するためになされたものであって、その目的は、還元成分による効果のばらつきを低減することのできるヘアケア装置を提供することにある。
【課題を解決するための手段】
【０００６】
本発明は、ヘアケア装置であって、少なくとも一対の電極で液体を電気分解して還元成分を含んだ還元水を生成する還元水生成部と、前記還元水生成部に液体を供給する液体供給部と、前記還元水生成部に供給される液量を検知する検知部と、前記還元水生成部により生成された還元水を霧化して還元水ミストを生成するミスト生成部と、前記ミスト生成部により生成された還元水ミストに含まれる還元成分量が一定となるように、前記検知部により検知された液量に応じて前記液体供給部と前記還元水生成部のうちの少なくともいずれかを制御する制御部とを備えることを特徴とする。
【０００７】
また、本発明において、前記制御部は、前記検知部により検知された液量が少ないほど、前記還元水生成部に供給される電力を増加させ、前記検知部により検知された液量が多いほど、前記還元水生成部に供給される電力を減少させてもよい。
【０００８】
また、本発明において、前記制御部は、前記検知部により検知された液量が少ないほど、前記液体供給部の液体供給量を増加させ、前記検知部により検知された液量が多いほど、前記液体供給部の液体供給量を減少させてもよい。
【０００９】
また、本発明において、前記液体供給部は、空気中に含まれる液体を冷却して結露させる冷却部を備え、前記制御部は、前記冷却部に供給される電力により前記液体供給部を制御してもよい。
【００１０】
また、本発明において、前記制御部は、前記検知部により検知された液量が少ないほど、前記冷却部の駆動エネルギーを増加させ、前記検知部により検知された液量が多いほど、前記冷却部の駆動エネルギーを減少させてもよい。
【００１１】
また、本発明において、前記制御部は、前記液体供給部が駆動されてから所定の間、前記冷却部に供給される電力を増加させてもよい。
【００１２】
また、本発明において、前記冷却部の冷却面上に前記一対の電極を配置し、その電極間の中心部に液体を保持する液体保持部を設けてもよい。
【００１３】
また、本発明において、前記制御部は、前記検知部により検知された液量が所定の値以下の場合は、前記電極間の中心部の冷却面が冷却されるように前記冷却部に電力を供給し、前記検知部により検知された液量が所定の値を超えた場合は、前記電極間の中心部の冷却面と中心部以外の冷却面とが等しく冷却されるように前記冷却部に電力を供給してもよい。
【００１４】
また、本発明において、前記制御部は、前記検知部により検知された液量が所定の値以下の場合は、前記電極間の中心部の冷却面が冷却されるように前記冷却部に電力を供給し、前記検知部により検知された液量が所定の値を超えた場合は、前記電極間の中心部以外の冷却面が冷却されるように前記冷却部に電力を供給してもよい。
【発明の効果】
【００１５】
本発明によれば、還元水ミストに含まれる還元成分量が一定となるように制御しているので、還元成分による効果のばらつきを低減することのできるヘアケア装置を提供することが可能となる。
【図面の簡単な説明】
【００１６】
【図１】図１は、第１の実施形態におけるヘアケア装置の内部構造を示す側断面図である。
【図２】図２は、第１の実施形態におけるヘケア装置の検知部の構成図であって、（ａ）は上面図、（ｂ）は側断面図である。
【図３】図３は、第１の実施形態におけるヘケア装置の動作を示すフローチャートである。
【図４】図４は、第２の実施形態におけるヘアケア装置の機能構成を示すブロック図である。
【図５】図５は、第２の実施形態におけるヘケア装置の動作を示すフローチャートである。
【図６】図６は、第３の実施形態におけるヘアケア装置の機能構成を示すブロック図である。
【図７】図７は、第３の実施形態におけるヘケア装置の動作を示すフローチャートである。
【図８】図８は、第４の実施形態におけるヘアケア装置の内部構造を示す側断面図である。
【図９】図９は、第４の実施形態におけるヘアケア装置の液体供給部・還元水生成部・霧化装置・液体保持部の構造を示す側断面図である。
【図１０】図１０は、第４の実施形態におけるヘアケア装置の液体供給部・還元水生成部・霧化装置・液体保持部の構造を示す斜面図である。
【図１１】図１１は、第５の実施形態におけるヘアケア装置の動作を示すフローチャートである。
【図１２】図１２は、第６の実施形態におけるヘアケア装置の液体供給部・還元水生成部・霧化装置・液体保持部の構造を示す側断面図である。
【図１３】図１３は、第６の実施形態におけるヘアケア装置の液体供給部・還元水生成部・霧化装置・液体保持部の構造を示す斜面図である。
【図１４】図１４は、第７の実施形態におけるヘアケア装置の冷却部の構造と制御範囲を示す上面図である。
【図１５】図１５は、第７の実施形態におけるヘアケア装置の冷却部の構造と制御範囲を示す側断面図である。
【図１６】図１６は、第７の実施形態におけるヘケア装置の動作を示すフローチャートである。
【図１７】図１７は、第８の実施形態におけるヘアケア装置の動作を示すフローチャートである。
【発明を実施するための形態】
【００１７】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１８】
（第１の実施形態）
図１は、第１の実施形態におけるヘアケア装置の内部構造を示す側断面図である。このヘアケア装置は例えばドライヤーであって、図１に示すように、筒状に形成されるハウジング６の下部にグリップ部７が折り畳み可能に取り付けられている。グリップ部７の前面中央に配されたスイッチ１３を操作することで本ヘアケア装置をオンオフすることができる。ハウジング６の後端部には吸い込み部８が形成され、ハウジング６の先端部には吐き出し部９が形成されている。モータ１０によりファン１１が回転駆動されると、吸い込み部８から空気が吸い込まれる。吸い込まれた空気は、空気流路１２を流れる際に適宜加熱されて吐き出し部９から吹き出される。このような熱風を送風する機能は省略しても構わない。
【００１９】
ここで、第１の実施形態におけるヘアケア装置は、少なくとも一対の電極２を備え、液体を電気分解して還元成分を含んだ還元水を生成する還元水生成部３を備えている。電極２は線形でも板状でもよく、また３つ以上設けたり、極性を変化させても構わない。電極２には電源が電気的に接続され、電極２間に液体が存在しないときは絶縁され、液体が存在するときは通電するよう配置されている。還元水生成部３にはタンク等の液体供給部４が接続され、そのタンクの水が還元水生成部３に供給されるようになっている。
【００２０】
また、図２に示すように、還元水生成部３に供給される液量を検知する検知部２１を備えている。この検知部２１としては、ＭＥＭＳフローセンサ等の微量液体流量センサを採用することができる。図２中の符号２２は液体流路であり、符号２３は微小ヒータである。電極２間に流れる電流が液量に比例する特性を利用し、電極間電流を液量の指標としても構わない。
【００２１】
また、図１に示すように、還元水生成部３により生成された還元水を霧化して還元水ミストを生成する霧化装置（ミスト生成部）１を備えている。この霧化装置１は、超音波や弾性表面波等の振動によるもの、高電圧を与え静電霧化させるもの、風圧により飛散させるもの等で構成される。本例では、振動により霧化させる手法を採用している。制御部５は、霧化装置１により生成された還元水ミストに含まれる還元成分量が一定となるように、検知部２１により検知された液量に応じて液体供給部４と還元水生成部３のうちの少なくともいずれかを制御する。
【００２２】
以下、第１の実施形態におけるヘアケア装置の動作を図３を用いて説明する。
【００２３】
まず、スイッチ１３が使用者によりオン操作されると（ステップＳ１）、液体供給部４から還元水生成部３に液体が供給される（ステップＳ２）。このとき、還元水生成部３に供給される液量を検知部２１が検知する（ステップＳ３）。詳しくは、液体中を通電させるとき、電極間距離、液体の導電率を一定とすると、液体の電気抵抗はその断面積に反比例する。すなわち、断面積が小さいほど電気抵抗は大きく、断面積が大きいほど電気抵抗は小さくなる。したがって、液量と通電電流値は比例する。この電流値に応じて制御部５は還元成分濃度が一定となるよう、液体供給部４または還元水生成部３を制御する（ステップＳ４）。この一定の還元成分濃度は、例えば水素濃度が０．８ｐｐｍ〜１００００ｐｐｍの範囲で定められることが望ましい。その後、還元水生成部３により還元水が生成されると、霧化装置１により還元水が霧化されて使用者に付与される（ステップＳ５→Ｓ６→Ｓ７）。
【００２４】
以上のように、本実施形態におけるヘアケア装置によれば、還元成分による効果のばらつきを低減することができる。すなわち、還元水ミストに含まれる還元成分量が一定となるように制御しているので、環境が変わっても常に一定の抗酸化や還元作用を発揮することができ、頭髪や頭皮を健康にケアすることが可能である。
【００２５】
また、塩基性および酸性成分を含有する液体を同時に生成し、これを霧化して使用者に付与するようにしてもよい。これにより、塩基性成分の効果（膨潤等）や酸性成分の効果（収れん等）の効果を得ることができる。
【００２６】
（第２の実施形態）
以下、図４〜図５を用いて第２の実施形態におけるヘアケア装置について説明する。ここでは、前記第１の実施形態と相違する事項についてのみ説明し、同様の構成や作用効果等を有するものについては前記第１の実施形態の説明を援用する。
【００２７】
第２の実施形態が前記第１の実施形態と異なる部分は、図４に示すように、検知部２１が検知した液量に応じて還元水生成部３を制御する点である。詳しくは、図５のフローチャートに示すように、制御部５は、検知部２１により検知された液量に応じて還元水濃度を制御する。すなわち、液体供給量が少ないほど、霧化される還元水ミスト量も少なくなる。そこで、検知部２１により検知された液量が少なくなるほど、還元水生成部３の電極間電圧を上昇させ、生成される還元成分濃度を高める（ステップＳ１４→Ｓ１５）。逆に、液体供給量が多いほど、霧化される還元水ミスト量も多くなる。そこで、検知部２１により検知された液量が多くなるほど、還元水生成部３の電極間電圧を減少させ、生成される還元成分濃度を低下させる（ステップＳ１４→Ｓ１６）。その結果、使用者に与えられる還元成分量が一定となる。
【００２８】
以上のように、本実施形態におけるヘアケア装置では、検知部２１により検知された液量が少ないほど、還元水生成部３に供給される電力を増加させ、検知部２１により検知された液量が多いほど、還元水生成部３に供給される電力を減少させるようにしている。これにより、還元水ミストに含まれる還元成分量が一定となるので、環境が変わっても常に一定の抗酸化や還元作用を発揮することができ、頭髪や頭皮を健康にケアすることが可能である。
【００２９】
（第３の実施形態）
以下、図６〜図７を用いて第３の実施形態におけるヘアケア装置について説明する。ここでは、前記第１〜第２の実施形態と相違する事項についてのみ説明し、同様の構成や作用効果等を有するものについては前記第１〜第２の実施形態の説明を援用する。
【００３０】
第３の実施形態が前記第１〜第２の実施形態と異なる部分は、図６に示すように、検知部２１が検知した液量に応じて液体供給部４を制御する点である。詳しくは、図７のフローチャートに示すように、制御部５は、検知部２１により検知された液量に応じて液体供給部４の液体供給量を制御する。すなわち、検知部２１により検知された液量が少ないほど、液体供給部４の液体供給量を増加させる（ステップＳ２４→Ｓ２５）。逆に、検知部２１により検知された液量が多いほど、液体供給部４の液体供給量を減少させる（ステップＳ２４→Ｓ２６）。その結果、使用者に与えられる還元成分量が一定となる。
【００３１】
以上のように、本実施形態におけるヘアケア装置では、検知部２１により検知された液量が少ないほど、液体供給部４の液体供給量を増加させ、検知部２１により検知された液量が多いほど、液体供給部４の液体供給量を減少させるようにしている。これにより、還元水ミストに含まれる還元成分量が一定となるので、環境が変わっても常に一定の抗酸化や還元作用を発揮することができ、頭髪や頭皮を健康にケアすることが可能である。
【００３２】
（第４の実施形態）
以下、図８〜図１０を用いて第４の実施形態におけるヘアケア装置について説明する。ここでは、前記第１〜第３の実施形態と相違する事項についてのみ説明し、同様の構成や作用効果等を有するものについては前記第１〜第３の実施形態の説明を援用する。
【００３３】
第４の実施形態が前記第１〜第３の実施形態と異なる部分は、図８に示すように、液体供給部４が、空気中に含まれる液体３２を冷却して結露させる冷却部３１を備え、制御部５が、冷却部３１に供給される電力により液体供給部４を制御する点である。具体的には、図９及び図１０に示すように、放熱面と吸熱面を持つ熱交換器（ペルチェ素子４１等）の吸熱面が冷却部３１に該当する。放熱面には、その効果を高めるため、放熱用のフィン４２を設けておく。
【００３４】
以下、第４の実施形態におけるヘアケア装置の動作を説明する。
【００３５】
まず、スイッチ１３が使用者によりオン操作されると、冷却部３１であるペルチェ素子４１に電力が供給され、吸熱が開始される。冷却面の表面温度が環境の露点温度を下回ると表面に結露水が発生し、結露水が還元水生成部３に供給される。供給される結露水量は検知部２１により検知され、その量に応じて冷却部３１の駆動エネルギーが制御される。詳しくは、検知部２１により検知された液量が少ないほど、冷却部３１の駆動エネルギーを増加させ、検知部２１により検知された液量が多いほど、冷却部３１の駆動エネルギーを減少させる。その結果、使用者に与えられる還元成分量が一定となる。
【００３６】
以上のように、本実施形態におけるヘアケア装置では、液体供給部４が、空気中に含まれる液体３２を冷却して結露させる冷却部３１を備え、制御部５が、冷却部３１に供給される電力により液体供給部４を制御するようにしている。これにより、液体を補給することなく還元水ミストを生成することができ、利便性が向上する。
【００３７】
（第５の実施形態）
以下、図１１を用いて第５の実施形態におけるヘアケア装置について説明する。ここでは、前記第１〜第４の実施形態と相違する事項についてのみ説明し、同様の構成や作用効果等を有するものについては前記第１〜第４の実施形態の説明を援用する。
【００３８】
第５の実施形態が前記第１〜第４の実施形態と異なる部分は、図１１に示すように、制御部５が初期駆動時に液体供給部４の駆動エネルギーが所定の期間大きくなるよう制御する点である。所定の期間とは、液体供給部４から供給される液体が還元水生成部３の電極２間を導通させることのできる量が供給されるまでの期間である。その間、液体供給部４の駆動エネルギーを多く投入する（ステップＳ３４→Ｓ３５）。例えば、液体供給部４は、初期駆動時定格電流から安全率分を控除して得られる入力限界値程度または冷却温度が凍結開始する０度以上になるまで駆動エネルギーを多く投入する。そして、入力限界値が５Ｖであるペルチェ素子に安全率２０％と仮定した分を差し引いた４Ｖを入力し、液量が電極２間を導通させることができる量になるまで継続させる。“液量が電極２間を導通させることができる量になるまで”とは、例えば、電極２間が通電するまでである。環境室温２５度、湿度５０％で１２０秒以下であることが望ましい。その後、液量が一定となるよう液量に応じた制御を行う。
【００３９】
以上のように、本実施形態におけるヘアケア装置では、制御部５が、液体供給部４が駆動されてから所定の間、冷却部３１に供給される電力を増加させるようにしている。これにより、冷却部３１がすばやく冷却開始され、結露水がすばやく得られるため、ミスト発生までの時間を短縮することができる。
【００４０】
（第６の実施形態）
以下、図１２〜図１３を用いて第６の実施形態におけるヘアケア装置について説明する。ここでは、前記第１〜第５の実施形態と相違する事項についてのみ説明し、同様の構成や作用効果等を有するものについては前記第１〜第５の実施形態の説明を援用する。
【００４１】
第６の実施形態が前記第１〜第５の実施形態と異なる部分は、図１２〜図１３に示すように、冷却部３１の冷却面が板状に形成され、その上部に電極２を配置し、その電極２間の中心部（後述する。）に液体３２を保持する液体保持部５１を設けた点である。詳しくは、液体保持部５１は、冷却面上に配置された電極２に対向するよう配置された板状の成型物であり、電極２間の中心の真上に一定距離を持って配置されることが望ましい。
【００４２】
以上のように、本実施形態におけるヘアケア装置では、冷却部３１の冷却面上に一対の電極２を配置し、その電極２間の中心部に液体３２を保持する液体保持部５１を設けるようにしている。これにより、液体保持部５１と電極２との間の表面張力および毛細管現象により液体３２が電極２間の中心に保持される。そのため、電極２間の導通が更にすばやく行われ、また、本体を使用中に傾けても液体３２の位置を保持することができ、安定してミストを生成することが可能となる。
【００４３】
（第７の実施形態）
以下、図１４〜図１６を用いて第７の実施形態におけるヘアケア装置について説明する。ここでは、前記第１〜第６の実施形態と相違する事項についてのみ説明し、同様の構成や作用効果等を有するものについては前記第１〜第６の実施形態の説明を援用する。
【００４４】
第７の実施形態が前記第１〜第６の実施形態と異なる部分は、図１４〜図１６に示すように、使用者が電源をオン操作すると、まず電極２間の中心部６１の冷却面に外周部よりも多くの駆動エネルギーが供給されるようにした点である。ここでは、図１４及び図１５に点線で示すように、電極２間の中心線で二分される直方体が中心部６１に相当する。もちろん、中心部６１の決め方はこれに限定されるものではない。制御部５は、図１６に示すように、検知部２１により検知された液量が所定の値以下の場合は、電極２間の中心部６１の冷却面が冷却されるように冷却部３１に電力を供給する（ステップＳ４４→Ｓ４６）。逆に、検知部２１により検知された液量が所定の値を超えた場合は、電極２間の中心部６１の冷却面と中心部６１以外の冷却面とが等しく冷却されるように冷却部３１に電力を供給する（ステップＳ４４→Ｓ４５）。詳しくは、冷却部３１は、図１４及び図１５に示すように、電極２間の中心部６１の冷却面とその外周の最低２つに分割してそれぞれを制御できるよう独立した素子構成とする。そして、検知部２１により検知された液量が所定の値を超えるまで電極２間の中心部６１が冷却される。“検知部２１により検知された液量が所定の値を超えるまで”とは、例えば、電極２間が通電するまでである。環境室温２５度、湿度５０％で１２０秒以下であることが望ましい。液量が所定の値を越えた場合は、冷却面の電極２間の中心部６１と中心部６１以外の冷却面とが等しく冷却される。
【００４５】
以上のように、本実施形態におけるヘアケア装置では、制御部５は、検知部２１により検知された液量が所定の値以下の場合は、電極２の中心部６１の冷却面が冷却されるように冷却部３１に電力を供給するようにしている。逆に、検知部２１により検知された液量が所定の値を超えた場合は、電極２間の中心部６１の冷却面と中心部６１以外の冷却面とが等しく冷却されるように冷却部３１に電力を供給するようにしている。その結果、電極２間の中心部６１の冷却面が優先的に冷却され、結露水を電極２間に集中して集めることができ、還元水生成開始までの時間を短縮することが可能となる。
【００４６】
（第８の実施形態）
以下、図１７を用いて第８の実施形態におけるヘアケア装置について説明する。ここでは、前記第１〜第７の実施形態と相違する事項についてのみ説明し、同様の構成や作用効果等を有するものについては前記第１〜第７の実施形態の説明を援用する。
【００４７】
第８の実施形態が前記第１〜第７の実施形態と異なる部分は、図１７に示すように、電極２間の中心部６１の冷却面に一定量以上の液体が付着した場合は、電極２間の中心部６１以外を冷却する点である。すなわち、制御部５は、検知部２１により検知された液量が所定の値以下の場合は、電極２間の中心部６１の冷却面が冷却されるように冷却部３１に電力を供給する（ステップＳ５４→Ｓ５６）。逆に、検知部２１により検知された液量が所定の値を超えた場合は、電極２間の中心部６１以外の冷却面が冷却されるように冷却部３１に電力を供給する（ステップＳ５４→Ｓ５５）。詳しくは、検知部２１により検知された液量が所定の値を超えるまで電極２間の中心部６１が冷却される。“検知部２１により検知された液量が所定の値を超えるまで”とは、例えば、電極２間が通電するまでである。環境室温２５度、湿度５０％で１２０秒以下であることが望ましい。検知部２１により検知された液量が所定の値を越えた場合は、冷却面の電極２間の中心部６１以外の冷却面が冷却される。
【００４８】
このように構成されたヘアケア装置では、スイッチ１３が使用者によりオン操作されると、まずは電極２間の中心部６１の冷却面に他の部位よりも多くの駆動エネルギーが供給される。その結果、電極２間の中心部６１の冷却面が優先的に冷却され、結露水を電極２間に集中して集めることができ、還元水生成開始までの時間を短縮することができる。結露水が電極２間の中心部６１の冷却面に充分（最低限、電極２間導通が開始されるまで）供給されると、中心部６１以外の駆動エネルギーを大きくする。電極２間の中心部６１の冷却面が既に充分な量の液体を得ている場合、中心部６１の駆動エネルギーは外周部より低くするほうが望ましい。このように制御することで、既に結露水が付着している部分より未だ付着していない部分にエネルギーが投入され、優先的に冷却されるため、結露水の収集効率を向上させることが可能である。
【００４９】
以上のように、本実施形態におけるヘアケア装置では、制御部５が、検知部２１により検知された液量が所定の値以下の場合は、電極２間の中心部６１の冷却面が冷却されるように冷却部３１に電力を供給するようにしている。逆に、検知部２１により検知された液量が所定の値を超えた場合は、電極２間の中心部６１以外の冷却面が冷却されるように冷却部３１に電力を供給するようにしている。これにより、電極２間の中心部６１の冷却面に一定量以上の液体が付着した場合は、電極２間の中心部６１以外を冷却することで集水効率が高まる。そのため、より安定的に液体を供給することができ、安定的な霧化が実施されるようになる。
【００５０】
以上、本発明の好適な実施形態について説明したが、本発明は前記実施形態には限定されず、種々の変形が可能である。例えば、ヘアケア装置としてドライヤーを例示したが、ヘアブラシやヘアアイロン等の他のヘアケア装置に本発明を適用してもよい。また、電極２、還元水生成部３、液体供給部４、検知部２１、その他細部のスペック（形状、大きさ、レイアウト等）も適宜に変更可能である。
【符号の説明】
【００５１】
１  霧化装置（ミスト生成部）
２  電極
３  還元水生成部
４  液体供給部
５  制御部
２１  検知部
５１  液体保持部
６１  電極間の中心部
【図１】
2013103060.tif 000003
【図２】
2013103060.tif 000004
【図３】
2013103060.tif 000005
【図４】
2013103060.tif 000006
【図５】
2013103060.tif 000007
【図６】
2013103060.tif 000008
【図７】
2013103060.tif 000009
【図８】
2013103060.tif 000010
【図９】
2013103060.tif 000011
【図１０】
2013103060.tif 000012
【図１１】
2013103060.tif 000013
【図１２】
2013103060.tif 000014
【図１３】
2013103060.tif 000015
【図１４】
2013103060.tif 000016
【図１５】
2013103060.tif 000017
【図１６】
2013103060.tif 000018
【図１７】
2013103060.tif 000019